(57)【要約】【課題】特定の情報表示装置においてのみ再生できるコンテンツを供給する。【解決手段】本発明のテレビ１は、コンテンツサーバ３が供給するコンテンツを表示するテレビ１であって、暗号化された暗号化コンテンツを復号するための秘密鍵を記憶する秘密鍵記憶部３０と、秘密鍵にて復号可能に暗号化された暗号化コンテンツを、コンテンツサーバ３より受信する仲介装置から、上記暗号化コンテンツを取得する暗号化画像取得部２２と、暗号化画像取得部２２が取得した暗号化コンテンツを、秘密鍵を用いて復号する画像復号部２３とを備えていることを特徴としている。【選択図】図１
2010056822.tif 000002
【特許請求の範囲】
【請求項１】
コンテンツ供給装置が供給するコンテンツを表示する情報表示装置において、
暗号化された暗号化コンテンツを復号するための復号鍵を記憶する復号鍵記憶部と、
上記復号鍵にて復号可能に暗号化された暗号化コンテンツを、上記コンテンツ供給装置より受信する仲介装置から、上記暗号化コンテンツを取得する暗号化コンテンツ取得手段と、
上記暗号化コンテンツ取得手段が取得した暗号化コンテンツを、上記復号鍵を用いて復号するコンテンツ復号手段とを備えていることを特徴とする情報表示装置。
【請求項２】
上記暗号化コンテンツ取得手段は、
上記仲介装置が暗号化コンテンツを書き込んだ外部記録媒体から該暗号化コンテンツを読み取ることにより、または、近距離通信にて上記仲介装置から該暗号化コンテンツを受信することにより、上記暗号化コンテンツを取得することを特徴とする請求項１に記載の情報表示装置。
【請求項３】
上記復号鍵記憶部は、
暗号化された暗号化コンテンツを復号するための復号鍵としての、当該情報表示装置固有の秘密鍵を記憶するものであり、
上記暗号化コンテンツ取得手段は、
コンテンツを暗号化する暗号鍵としての上記秘密鍵と対になる公開鍵にて暗号化された暗号化コンテンツを上記コンテンツ供給装置より受信する仲介装置から、上記暗号化コンテンツを取得することを特徴とする請求項１または２に記載の情報表示装置。
【請求項４】
当該情報表示装置は、上記コンテンツ供給装置から上記コンテンツを直接受信する受信手段を備えていないことを特徴とする請求項１から３までのいずれか１項に記載の情報表示装置。
【請求項５】
上記暗号化コンテンツには暗号化に用いた公開鍵が関連付けられており、
上記暗号化コンテンツ取得手段は、自装置の秘密鍵と対の公開鍵が関連付けられている暗号化コンテンツを取得する請求項３に記載の情報表示装置。
【請求項６】
上記秘密鍵と対になる暗号鍵としての公開鍵を、上記仲介装置に提供することにより、上記暗号化コンテンツの取得を上記仲介装置に対して依頼する公開鍵提供手段を備えていることを特徴とする請求項３または５に記載の情報表示装置。
【請求項７】
上記公開鍵提供手段は、上記仲介装置が読み取り可能な外部記録媒体に、上記仲介装置が上記コンテンツ供給装置に送信してコンテンツを要求するための上記公開鍵を書き込むことにより、上記仲介装置に自装置の公開鍵を提供することを特徴とする請求項６に記載の情報表示装置。
【請求項８】
上記公開鍵提供手段は、上記仲介装置が読み取りおよび書き取り可能な外部記録媒体に上記仲介装置が自装置の暗号化コンテンツを格納するための専用領域を確保して、該専用領域に上記公開鍵を書き込むことを特徴とする請求項７に記載の情報表示装置。
【請求項９】
上記公開鍵提供手段は、上記仲介装置に公開鍵を提供する情報提供装置へのアクセス情報を、上記仲介装置が認識可能な状態で出力することにより、上記仲介装置が上記コンテンツ供給装置に送信してコンテンツを要求するための公開鍵を、上記仲介装置に提供することを特徴とする請求項６記載の情報表示装置。
【請求項１０】
上記公開鍵提供手段は、自装置の表示性能に関する情報を少なくとも含む機器情報を上記公開鍵とともに提供することを特徴とする請求項６から９までのいずれか１項に記載の情報表示装置。
【請求項１１】
上記暗号化コンテンツ取得手段は、上記暗号化コンテンツを、上記仲介装置から赤外線信号として受信する赤外線通信処理手段を含むことを特徴とする請求項２から１０までのいずれか１項に記載の情報表示装置。
【請求項１２】
コンテンツを供給するコンテンツ供給装置から、情報表示装置が表示するためのコンテンツを取得する仲介装置であって、
暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得手段と、
上記コンテンツ要求取得手段が取得した上記暗号化コンテンツを上記情報表示装置に供給する暗号化コンテンツ供給手段とを備え、
上記暗号化コンテンツ供給手段は、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴とする仲介装置。
【請求項１３】
上記暗号化コンテンツ供給手段は、上記コンテンツ要求取得手段が取得した暗号化コンテンツに、該暗号化コンテンツの暗号化に用いられた上記公開鍵を関連付けて、上記情報表示装置に供給することを特徴とする請求項１２に記載の仲介装置。
【請求項１４】
上記公開鍵を上記情報表示装置から取得することにより、該情報表示装置にて表示するコンテンツの取得依頼を受け付ける公開鍵取得手段を備え、
上記コンテンツ要求取得手段は、上記公開鍵取得手段が取得した公開鍵を上記コンテンツ供給装置に送信して、暗号化コンテンツを要求することを特徴とする請求項１２または１３に記載の仲介装置。
【請求項１５】
上記情報表示装置が出力する、当該仲介装置に公開鍵を提供する情報提供装置へのアクセス情報を取得するアクセス情報取得手段と、
上記アクセス情報に基づいて、上記情報表示装置の公開鍵を上記情報提供装置から取得する公開鍵取得手段とを備えていることを特徴とする請求項１２または１３に記載の仲介装置。
【請求項１６】
上記公開鍵取得手段は、自装置の表示性能に関する情報を少なくとも含む機器情報を上記公開鍵とともに取得し、
上記コンテンツ要求取得手段は、上記公開鍵とともに上記機器情報を上記コンテンツ供給装置に送信することを特徴とする請求項１４または１５に記載の仲介装置。
【請求項１７】
上記暗号化コンテンツ供給手段は、上記暗号化コンテンツを赤外線信号として上記情報表示装置に送信する赤外線通信処理手段を含むことを特徴とする請求項１２から１６までのいずれか１項に記載の仲介装置。
【請求項１８】
請求項１から１１までのいずれか１項に記載の情報表示装置と、
請求項１２から１７までのいずれか１項に記載の仲介装置とを含むことを特徴とするコンテンツ供給システム。
【請求項１９】
コンテンツ供給装置が供給するコンテンツを表示する情報表示装置の制御方法であって、上記情報表示装置は、暗号化された暗号化コンテンツを復号するための復号鍵を記憶しており、
上記復号鍵にて復号可能に暗号化された暗号化コンテンツを、上記コンテンツ供給装置より受信する仲介装置から、上記暗号化コンテンツを取得する暗号化コンテンツ取得ステップと、
上記暗号化コンテンツ取得ステップにて取得された上記暗号化コンテンツを、上記復号鍵を用いて復号するコンテンツ復号ステップと含むことを特徴とする情報表示装置の制御方法。
【請求項２０】
コンテンツ供給装置が供給するコンテンツを表示する情報表示装置の制御方法であって、
暗号化された暗号化コンテンツを復号するための復号鍵としての、上記情報表示装置固有の秘密鍵と対になる、暗号鍵としての公開鍵にて暗号化された暗号化コンテンツを、上記コンテンツ供給装置より通信網を介して受信する仲介装置から、上記暗号化コンテンツを取得する暗号化コンテンツ取得ステップと、
上記暗号化コンテンツ取得ステップにて取得された上記暗号化コンテンツを、上記秘密鍵を用いて復号するコンテンツ復号ステップとを含み、
上記暗号化コンテンツ取得ステップでは、
上記仲介装置が暗号化コンテンツを書き込んだ外部記録媒体から該暗号化コンテンツを読み取ることにより、または、近距離通信にて上記仲介装置から該暗号化コンテンツを受信することにより、上記暗号化コンテンツを取得することを特徴とする情報表示装置の制御方法。
【請求項２１】
コンテンツを供給するコンテンツ供給装置から、情報表示装置が表示するためのコンテンツを取得する仲介装置の制御方法であって、
暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得ステップと、
上記コンテンツ要求取得ステップにて取得された上記暗号化コンテンツを上記情報表示装置に供給する暗号化コンテンツ供給ステップとを含み、
上記暗号化コンテンツ供給ステップでは、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴とする仲介装置の制御方法。
【請求項２２】
コンピュータを、請求項１から１１までのいずれか１項に記載の情報表示装置、または、請求項１２から１７までのいずれか１項に記載の仲介装置の各手段として機能させるための制御プログラム。
【請求項２３】
請求項２２に記載の制御プログラムを記録したコンピュータ読み取り可能な記録媒体。
【発明の詳細な説明】
【技術分野】
【０００１】
本発明は、特定のクライアントにて表示可能なコンテンツを供給する、情報表示装置、仲介装置、コンテンツ供給システム、情報表示装置の制御方法、仲介装置の制御方法、制御プログラム、および、記録媒体に関するものである。
【背景技術】
【０００２】
従来、テレビなどの情報表示装置に、デジタル写真などの画像が保存された、着脱可能な外部記録媒体を挿入して、上記情報表示装置にデジタル写真を表示させることが可能である（特許文献１参照）。
【０００３】
一方、近年、情報表示装置の性能の向上に伴って、該情報表示装置に高精細な動画、写真、絵画などのコンテンツを表示させることが可能になってきた。そこで、商業目的で、高精細なコンテンツを情報表示装置に供給することが考えられている。
【０００４】
上記のような商業的価値のあるコンテンツを情報表示装置に供給する方法としては、特許文献１に記載したように、コンテンツを保存した上記外部記録媒体を保存して販売するなど、その他既知の方法を用いることができる。
【特許文献１】特表２００８−５０５５３７号公報（２００６年１月１９日国際公開）
【発明の開示】
【発明が解決しようとする課題】
【０００５】
上述のようにして供給されるコンテンツは、正当に利用されることが保証されていなければならない。具体的には、上記コンテンツの対価を支払った正当な利用者だけが上記コンテンツを利用できるように、特定の情報表示装置においてのみコンテンツを再生可能とするという機能が必要になる。
【０００６】
しかしながら、特許文献１に記載の技術では、外部記録媒体に保存されている画像がどのような情報表示装置においても再生可能なため、不正にコピーされた商業目的のコンテンツも情報表示装置を問わず再生可能となってしまい、不正利用を防ぐことができないという問題がある。
【０００７】
上述の問題は、着脱可能な外部記録媒体を介して供給されるコンテンツに限らず、上記情報表示装置が読み取り・再生可能な状態で様々なコンテンツを供給したい場合に同様に生じるものである。例えば、近距離無線通信などの通信手段を用いてコンテンツが供給される場合にも、限られた特定の情報表示装置のみにおいて再生可能とするという機能が求められる。
【０００８】
また、上述の問題は、商業目的で供給されるコンテンツに限らず、機密性の高いコンテンツを供給したい場合にも同様に生じるものである。外部に漏れない安全な方法で、すなわち、限られた特定の情報表示装置のみにおいて再生可能とするという機能が求められる。
【０００９】
本発明は、上記の問題点に鑑みてなされたものであり、その目的は、特定の情報表示装置においてのみ再生できるコンテンツを供給する情報表示装置、仲介装置、コンテンツ供給システム、情報表示装置の制御方法、仲介装置の制御方法、制御プログラム、および、記録媒体を実現することにある。
【課題を解決するための手段】
【００１０】
本発明の情報表示装置は、上記課題を解決するために、コンテンツ供給装置が供給するコンテンツを表示する情報表示装置において、暗号化された暗号化コンテンツを復号するための復号鍵を記憶する復号鍵記憶部と、上記復号鍵にて復号可能に暗号化された暗号化コンテンツを、上記コンテンツ供給装置より受信する仲介装置から、上記暗号化コンテンツを取得する暗号化コンテンツ取得手段と、上記暗号化コンテンツ取得手段が取得した暗号化コンテンツを、上記復号鍵を用いて復号するコンテンツ復号手段とを備えていることを特徴としている。
【００１１】
さらに、上記暗号化コンテンツ取得手段は、上記仲介装置が暗号化コンテンツを書き込んだ外部記録媒体から該暗号化コンテンツを読み取ることにより、または、近距離通信にて上記仲介装置から該暗号化コンテンツを受信することにより、上記暗号化コンテンツを取得することがこのましい。
【００１２】
さらに、上記復号鍵記憶部は、暗号化された暗号化コンテンツを復号するための復号鍵としての、当該情報表示装置固有の秘密鍵を記憶するものであり、上記暗号化コンテンツ取得手段は、コンテンツを暗号化する暗号鍵としての上記秘密鍵と対になる公開鍵にて暗号化された暗号化コンテンツを上記コンテンツ供給装置より受信する仲介装置から、上記暗号化コンテンツを取得することが好ましい。
【００１３】
なお、当該情報表示装置は、上記コンテンツ供給装置から上記コンテンツを直接受信する受信手段を備えていなくてもよい。
【００１４】
上記構成によれば、情報表示装置は秘密鍵を有しており、仲介装置は上記秘密鍵と対の公開鍵によって暗号化された暗号化コンテンツを、コンテンツ供給装置から通信網を介して取得する。情報表示装置の暗号化コンテンツ取得手段は、上記仲介装置から上記暗号化コンテンツを取得する。このとき、暗号化コンテンツ取得手段は、上記仲介装置が暗号化コンテンツを書き込んだ外部記録媒体から該暗号化コンテンツを読み取ることにより、暗号化コンテンツを取得するか、あるいは、近距離通信にて上記仲介装置から該暗号化コンテンツを受信することにより暗号化コンテンツを取得する。
【００１５】
上記コンテンツ復号手段は、上記暗号化コンテンツ取得手段が取得した暗号化コンテンツを上記秘密鍵を用いて復号する。このとき、上記暗号化コンテンツは、上記秘密鍵と対になる公開鍵を用いて暗号化されているので、当然上記秘密鍵を用いて該暗号化コンテンツを復号すれば、暗号化コンテンツの復号処理は成功する。上記秘密鍵は、上記情報表示装置固有の秘密鍵であるので、上記暗号化コンテンツは、当該情報表示装置でのみ復号、表示可能なコンテンツである。
【００１６】
これにより、コンテンツ供給装置が供給するコンテンツを限られた特定の情報表示装置のみにおいて再生可能とすることができる。
【００１７】
さらに、上記構成によれば、情報表示装置と仲介装置との間における暗号化コンテンツの受け渡しを、インターネットなどの広域通信網を介さずに実現することができるので、通信網に接続されていない（通信網を介しての通信手段を備えていない）情報表示装置に対しても、特定の情報表示装置のみにおいて再生可能なコンテンツを供給することができるので、本発明の効果が特に大きい。
【００１８】
さらに、上記暗号化コンテンツには暗号化に用いた公開鍵が関連付けられており、上記暗号化コンテンツ取得手段は、自装置の秘密鍵と対の公開鍵が関連付けられている暗号化コンテンツを取得することが好ましい。
【００１９】
上記構成によれば、暗号化コンテンツ取得手段は、上記仲介装置から暗号化コンテンツを取得するとき、その暗号化コンテンツに関連付けられている公開鍵が、自装置の秘密鍵と対の公開鍵と一致する場合のみ、上記暗号化コンテンツを取得する。関連付けられている公開鍵は、上記暗号化コンテンツの暗号化に用いた公開鍵であるので、両公開鍵が一致するということは、上記暗号化コンテンツは、自装置の公開鍵で暗号化されたことを意味する。したがって、上記コンテンツ復号手段は、自装置の秘密鍵を用いての上記暗号化コンテンツの復号に成功する。
【００２０】
つまり、上記暗号化コンテンツ取得手段は、自装置において復号が成功する暗号化コンテンツ（自装置宛ての暗号化コンテンツ）のみを取得する。したがって、コンテンツ復号手段が、自装置宛ではない暗号化コンテンツの復号を試みて失敗するという無駄な処理を省くことが可能となる。
【００２１】
本発明の情報表示装置は、上記秘密鍵と対になる暗号鍵としての公開鍵を、上記仲介装置に提供することにより、上記暗号化コンテンツの取得を上記仲介装置に対して依頼する公開鍵提供手段を備えていてもよい。
【００２２】
これにより、情報表示装置を操作することによって、ユーザは、コンテンツ取得を仲介装置に対して指示することができる。
【００２３】
上記公開鍵提供手段は、上記仲介装置が読み取り可能な外部記録媒体に、上記仲介装置が上記コンテンツ供給装置に送信してコンテンツを要求するための上記公開鍵を書き込むことにより、上記仲介装置に自装置の公開鍵を提供してもよい。
【００２４】
これにより、公開鍵が記録された外部記録媒体を仲介装置に読み取らせることによって、仲介装置に、暗号化コンテンツを取得させることができる。
【００２５】
さらに、上記公開鍵提供手段は、上記仲介装置が読み取りおよび書き取り可能な外部記録媒体に上記仲介装置が自装置の暗号化コンテンツを格納するための専用領域を確保して、該専用領域に上記公開鍵を書き込むことが好ましい。
【００２６】
上記構成によれば、上記公開鍵提供手段は、自装置の公開鍵と暗号化コンテンツとを格納するための専用領域を上記外部記録媒体の記憶領域に確保する。
【００２７】
これにより、情報表示装置が複数存在する場合に、装置ごとに専用領域が確保されるので、複数の情報表示装置に対して１つの外部記録媒体を共有しても、各情報表示装置は、自装置の公開鍵と暗号化コンテンツとにのみ容易にアクセスすることが可能となる。
【００２８】
上記公開鍵提供手段は、上記仲介装置に公開鍵を提供する情報提供装置へのアクセス情報を、上記仲介装置が認識可能な状態で出力することにより、上記仲介装置が上記コンテンツ供給装置に送信してコンテンツを要求するための公開鍵を、上記仲介装置に提供してもよい。
【００２９】
上記構成によれば、上記公開鍵提供手段は、情報提供装置へのアクセス情報を、上記仲介装置が認識可能な状態で出力する。これにより仲介装置は、アクセス情報に基づいて、情報提供装置にアクセスし、公開鍵を情報提供装置から入手する。
【００３０】
これにより、仲介装置へ公開鍵を提出する役割を情報提供装置に移管することができる。
【００３１】
上記公開鍵提供手段は、自装置の表示性能に関する情報を少なくとも含む機器情報を上記公開鍵とともに提供することが好ましい。
【００３２】
上記構成によれば、公開鍵とともに上記機器情報を仲介装置に提供する。
【００３３】
これにより、仲介装置は機器情報をコンテンツ供給装置に送信することが可能となる。よって、コンテンツ供給装置は、コンテンツを暗号化する前に、そのコンテンツを表示する情報表示装置についての表示性能を把握することが可能となる。
【００３４】
したがって、コンテンツ供給装置が、情報表示装置の表示性能に応じて最適化したコンテンツを暗号化して、仲介装置に返すことが可能となる。
【００３５】
一度暗号化された暗号化コンテンツは、情報表示装置にて復号されるまで、内容を変更することはできない。そこで、コンテンツ供給装置に機器情報を提供することで、コンテンツが暗号化される前に、適切にコンテンツを処理してもらうことが可能となる。これにより適切なコンテンツが情報表示装置に供給されるようになる。
【００３６】
上記暗号化コンテンツ取得手段は、上記暗号化コンテンツを、上記仲介装置から赤外線信号として受信する赤外線通信処理手段を含んでいてもよい。
【００３７】
上記構成によれば、赤外線通信機能を有する機器（例えば携帯電話など）を仲介装置として用いることが可能となる。
【００３８】
本発明の仲介装置は、上記課題を解決するために、コンテンツを供給するコンテンツ供給装置から、情報表示装置が表示するためのコンテンツを取得する仲介装置であって、暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得手段と、上記コンテンツ要求取得手段が取得した上記暗号化コンテンツを上記情報表示装置に供給する暗号化コンテンツ供給手段とを備え、上記暗号化コンテンツ供給手段は、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴としている。
【００３９】
上記構成によれば、上記コンテンツ要求取得手段は、上記情報表示装置の公開鍵を上記コンテンツ供給装置に送信することにより、該情報表示装置にて表示するコンテンツ（該情報表示装置でのみ表示可能なコンテンツ）を、上記コンテンツ供給装置に要求する。
【００４０】
上記コンテンツ供給装置からは、上記公開鍵で暗号化された暗号化コンテンツが返ってくるので、上記コンテンツ要求取得手段は、それを取得する。
【００４１】
上記暗号化コンテンツ供給手段は、上記コンテンツ要求取得手段が取得した上記暗号化コンテンツを上記情報表示装置に供給する。このとき、上記暗号化コンテンツ供給手段は、上記情報表示装置が読み取り可能な外部記録媒体に上記暗号化コンテンツを書き込むことにより上記暗号化コンテンツを供給するか、あるいは、近距離通信にて上記暗号化コンテンツを上記情報表示装置に送信することにより上記暗号化コンテンツを供給する。
【００４２】
これにより、上記情報表示装置だけが保有する秘密鍵でのみ復号可能な暗号化コンテンツを上記情報表示装置に対して供給することができる。したがって、コンテンツ供給装置が供給するコンテンツを限られた特定の情報表示装置のみにおいて再生可能とすることができる。
【００４３】
さらに、上記構成によれば、情報表示装置と仲介装置との間における暗号化コンテンツの受け渡しを、インターネットなどの広域通信網を介さずに実現することができるので、通信網に接続されていない（通信網を介しての通信手段を備えていない）情報表示装置に対しても、特定の情報表示装置のみにおいて再生可能なコンテンツを供給することができるので、本発明の効果が特に大きい。
【００４４】
上記暗号化コンテンツ供給手段は、上記コンテンツ要求取得手段が取得した暗号化コンテンツに、該暗号化コンテンツの暗号化に用いられた上記公開鍵を関連付けて、上記情報表示装置に供給することが好ましい。
【００４５】
上記構成によれば、情報表示装置に対して公開鍵と暗号化コンテンツとを関連付けて供給する。
【００４６】
これにより、情報表示装置は、公開鍵を見て、暗号化コンテンツの復号を試みる前に、当該暗号化コンテンツが自装置で復号できるものか否かを判断することができる。
【００４７】
本発明の仲介装置は、上記公開鍵を上記情報表示装置から取得することにより、該情報表示装置にて表示するコンテンツの取得依頼を受け付ける公開鍵取得手段を備え、上記コンテンツ要求取得手段は、上記公開鍵取得手段が取得した公開鍵を上記コンテンツ供給装置に送信して、暗号化コンテンツを要求してもよい。
【００４８】
これにより、情報表示装置を操作することによって、ユーザは、コンテンツ取得を仲介装置に対して指示することができる。
【００４９】
本発明の仲介装置は、上記情報表示装置が出力する、当該仲介装置に公開鍵を提供する情報提供装置へのアクセス情報を取得するアクセス情報取得手段と、上記アクセス情報に基づいて、上記情報表示装置の公開鍵を上記情報提供装置から取得する公開鍵取得手段とを備えていてもよい。
【００５０】
上記構成によれば、上記アクセス情報取得手段は、情報提供装置へのアクセス情報を、上記情報表示装置から取得する。そして、公開鍵取得手段は、上記アクセス情報に基づいて、情報提供装置にアクセスし、公開鍵を情報提供装置から入手する。
【００５１】
これにより、仲介装置へ公開鍵を提出する役割を、情報表示装置から情報提供装置へ移管することができる。
【００５２】
上記公開鍵取得手段は、自装置の表示性能に関する情報を少なくとも含む機器情報を上記公開鍵とともに取得し、上記コンテンツ要求取得手段は、上記公開鍵とともに上記機器情報を上記コンテンツ供給装置に送信することが好ましい。
【００５３】
上記構成によれば、上記公開鍵取得手段は、公開鍵とともに上記機器情報を上記情報表示装置から取得する。
【００５４】
これにより、上記コンテンツ要求取得手段は、機器情報をコンテンツ供給装置に送信することが可能となる。よって、コンテンツ供給装置は、コンテンツを暗号化する前に、そのコンテンツを表示する情報表示装置についての表示性能を把握することが可能となる。
【００５５】
したがって、コンテンツ供給装置が、情報表示装置の表示性能に応じて最適化したコンテンツを暗号化して、仲介装置に返すことが可能となる。
【００５６】
一度暗号化された暗号化コンテンツは、情報表示装置にて復号されるまで、内容を変更することはできない。そこで、コンテンツ供給装置に機器情報を提供することで、コンテンツが暗号化される前に、適切にコンテンツを処理してもらうことが可能となる。これにより適切なコンテンツが情報表示装置に供給されるようになる。
【００５７】
本発明の仲介装置は、上記暗号化コンテンツ供給手段は、上記暗号化コンテンツを赤外線信号として上記情報表示装置に送信する赤外線通信処理手段を含んでいてもよい。
【００５８】
上記構成によれば、赤外線通信機能を有する機器（例えば携帯電話など）を仲介装置として用いることが可能となる。
【００５９】
上述の情報表示装置と、上述の仲介装置とによって構築されるコンテンツ供給システムも本発明の範疇に入る。
【００６０】
本発明の情報表示装置の制御方法は、上記課題を解決するために、コンテンツ供給装置が供給するコンテンツを表示する情報表示装置の制御方法であって、上記情報表示装置は、暗号化された暗号化コンテンツを復号するための復号鍵を記憶しており、上記復号鍵にて復号可能に暗号化された暗号化コンテンツを、上記コンテンツ供給装置より受信する仲介装置から、上記暗号化コンテンツを取得する暗号化コンテンツ取得ステップと、上記暗号化コンテンツ取得ステップにて取得された上記暗号化コンテンツを、上記復号鍵を用いて復号するコンテンツ復号ステップと含むことを特徴としている。
【００６１】
本発明の情報表示装置の制御方法は、上記課題を解決するために、コンテンツ供給装置が供給するコンテンツを表示する情報表示装置の制御方法であって、暗号化された暗号化コンテンツを復号するための復号鍵としての、上記情報表示装置固有の秘密鍵と対になる、暗号鍵としての公開鍵にて暗号化された暗号化コンテンツを、上記コンテンツ供給装置より通信網を介して受信する仲介装置から、上記暗号化コンテンツを取得する暗号化コンテンツ取得ステップと、上記暗号化コンテンツ取得ステップにて取得された上記暗号化コンテンツを、上記秘密鍵を用いて復号するコンテンツ復号ステップとを含み、上記暗号化コンテンツ取得ステップでは、上記仲介装置が暗号化コンテンツを書き込んだ外部記録媒体から該暗号化コンテンツを読み取ることにより、または、近距離通信にて上記仲介装置から該暗号化コンテンツを受信することにより、上記暗号化コンテンツを取得することを特徴としている。
【００６２】
本発明の仲介装置の制御方法は、上記課題を解決するために、コンテンツを供給するコンテンツ供給装置から、情報表示装置が表示するためのコンテンツを取得する仲介装置の制御方法であって、暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得ステップと、上記コンテンツ要求取得ステップにて取得された上記暗号化コンテンツを上記情報表示装置に供給する暗号化コンテンツ供給ステップとを含み、上記暗号化コンテンツ供給ステップでは、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴としている。
【００６３】
なお、上記情報表示装置および上記仲介装置は、コンピュータによって実現してもよく、この場合には、コンピュータを上記各手段として動作させることにより上記情報表示装置または上記仲介装置をコンピュータにて実現させる上記情報表示装置または上記仲介装置の制御プログラム、およびそれを記録したコンピュータ読み取り可能な記録媒体も、本発明の範疇に入る。
【発明の効果】
【００６４】
本発明の情報表示装置は、暗号化された暗号化コンテンツを復号するための復号鍵を記憶する復号鍵記憶部と、上記復号鍵にて復号可能に暗号化された暗号化コンテンツを、上記コンテンツ供給装置より受信する仲介装置から、上記暗号化コンテンツを取得する暗号化コンテンツ取得手段と、上記暗号化コンテンツ取得手段が取得した暗号化コンテンツを、上記復号鍵を用いて復号するコンテンツ復号手段とを備えていることを特徴としている。
【００６５】
本発明の仲介装置は、暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得手段と、上記コンテンツ要求取得手段が取得した上記暗号化コンテンツを上記情報表示装置に供給する暗号化コンテンツ供給手段とを備え、上記暗号化コンテンツ供給手段は、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴としている。
【００６６】
本発明の情報表示装置の制御方法は、上記情報表示装置は、暗号化された暗号化コンテンツを復号するための復号鍵を記憶しており、上記復号鍵にて復号可能に暗号化された暗号化コンテンツを、上記コンテンツ供給装置より受信する仲介装置から、上記暗号化コンテンツを取得する暗号化コンテンツ取得ステップと、上記暗号化コンテンツ取得ステップにて取得された上記暗号化コンテンツを、上記復号鍵を用いて復号するコンテンツ復号ステップと含むことを特徴としている。
【００６７】
本発明の情報表示装置の制御方法は、暗号化された暗号化コンテンツを復号するための復号鍵としての、上記情報表示装置固有の秘密鍵と対になる、暗号鍵としての公開鍵にて暗号化された暗号化コンテンツを、上記コンテンツ供給装置より通信網を介して受信する仲介装置から、上記暗号化コンテンツを取得する暗号化コンテンツ取得ステップと、上記暗号化コンテンツ取得ステップにて取得された上記暗号化コンテンツを、上記秘密鍵を用いて復号するコンテンツ復号ステップとを含み、上記暗号化コンテンツ取得ステップでは、上記仲介装置が暗号化コンテンツを書き込んだ外部記録媒体から該暗号化コンテンツを読み取ることにより、または、近距離通信にて上記仲介装置から該暗号化コンテンツを受信することにより、上記暗号化コンテンツを取得することを特徴としている。
【００６８】
本発明の仲介装置の制御方法は、暗号化された暗号化コンテンツを復号するための復号鍵である上記情報表示装置固有の秘密鍵と対になる、コンテンツを暗号化するための暗号鍵としての公開鍵を、上記コンテンツ供給装置に送信することにより、暗号化コンテンツを上記コンテンツ供給装置に要求し取得するコンテンツ要求取得ステップと、上記コンテンツ要求取得ステップにて取得された上記暗号化コンテンツを上記情報表示装置に供給する暗号化コンテンツ供給ステップとを含み、上記暗号化コンテンツ供給ステップでは、上記情報表示装置が読み取り可能な外部記録媒体に上記暗号化コンテンツを書き込むことにより、または、近距離通信にて上記暗号化コンテンツを上記情報表示装置に送信することにより、上記暗号化コンテンツを供給することを特徴としている。
【００６９】
したがって、特定の情報表示装置においてのみ再生できるコンテンツを供給することが可能になるという効果を奏する。
【発明を実施するための最良の形態】
【００７０】
本発明の一実施形態について図面に基づいて説明すると以下の通りである。以下の各実施形態では、一例として、本発明のコンテンツ供給システムを、画像（コンテンツ）をテレビに供給するための画像供給システムに適用した場合について説明する。画像供給システムは、本発明の情報表示装置としてのテレビと、本発明のコンテンツ供給装置としてのコンテンツサーバと、上記テレビと上記コンテンツサーバとを仲介する仲介装置とを含んでいる。
【００７１】
≪実施形態１≫
本実施形態では、一例として、本発明の仲介装置をパソコンに適用した場合について説明する。
【００７２】
〔画像供給システムの概要〕
図２は、本発明の実施形態における画像供給システム１００の概要を示す図である。図２に示すとおり、画像供給システム１００は、１または複数のテレビ１（テレビ１ａ、テレビ１ｂ、・・・）と、パソコン２と、コンテンツサーバ３とを含んでいる。パソコン２およびコンテンツサーバ３は、通信機能を有しており、ネットワーク４を介してデータの送受信を行うことができる。また、テレビ１およびパソコン２は、ＵＳＢ（Universal Serial Bus）メモリ５を着脱可能であり、ＵＳＢメモリ５を介してデータの受け渡しを行うことができる。なお、テレビ１ａとテレビ１ｂとを特に区別する必要がない場合には、単にテレビ１と称する。
【００７３】
テレビ１は、コンテンツサーバ３が供給する画像を再生し表示するものである。具体的には、パソコン２がコンテンツサーバ３から取得した画像をＵＳＢメモリ５に保存し、テレビ１は、当該ＵＳＢメモリ５から上記画像を読み出して、再生表示を行う。
【００７４】
本実施形態では、テレビ１は、画像表示アプリケーションを搭載している。画像表示アプリケーションとは、テレビ１に高精細な画像を表示させることにより、テレビ１に壁に掛かった絵画のような役割を持たせるツールである。この画像表示機能により、テレビ１を室内インテリアとして利用することが可能である。画像表示アプリケーションを実現するテレビ１の要部構成については後述する。
【００７５】
テレビ１は、画像表示機能の一部として、暗号化された暗号化画像（暗号化コンテンツ）を復号する機能を有している。
【００７６】
テレビ１は、それぞれの装置に固有の秘密鍵（復号鍵）を内部に記憶している。秘密鍵は、テレビ１の製品出荷時にＲＯＭに焼きこまれるなどして安全な方法で（容易に外部出力できない状態で）記憶されている。秘密鍵は、暗号化されたデータを復号するための復号鍵として機能する。テレビ１は、暗号化されたＵＳＢメモリ５内の暗号化画像を、上記秘密鍵を用いて復号する。暗号化画像がテレビ１の秘密鍵と対になっている暗号鍵である公開鍵によって暗号化されたものであれば、テレビ１は、上記暗号化画像の復号に成功し、画像を表示できる仕組みになっている。
【００７７】
パソコン２は、テレビ１に代わって、コンテンツサーバ３に対して画像をコンテンツサーバ３に対して要求し、取得するものである。具体的には、パソコン２は、テレビ１の秘密鍵と対になる暗号鍵である公開鍵の提供を受け付けて、上記公開鍵をコンテンツサーバ３に送信することにより、コンテンツサーバ３に対して画像を要求する。上記公開鍵は、コンテンツサーバ３が供給する画像を暗号化するために用いられる。
【００７８】
パソコン２は、コンテンツサーバ３から暗号化画像を受信すると、それを依頼元のテレビ１に供給する。本実施形態では、パソコン２は、テレビ１が読み取り可能なＵＳＢメモリ５に上記暗号化画像を保存することにより、暗号化画像をテレビ１に供給する。
【００７９】
なお、上記公開鍵の入手方法は、特に限定されない。公開鍵は、テレビ１からＵＳＢメモリ５を介して提供されてもよいし、図示しない別の装置より、ネットワーク４を介して、あるいは、別の近距離通信手段にて提供されてもよい。あるいは、ユーザ操作にしたがって、パソコン２が、指定された装置（記録媒体）にアクセスし、上記公開鍵を取得してもよい。いずれにしても、公開鍵とテレビ１とを紐付ける情報は、公開鍵とともに提供されるようになっている。これにより、どのテレビ１向けの画像をコンテンツサーバ３に要求すればよいのかをパソコン２は知ることができる。
【００８０】
コンテンツサーバ３は、テレビ１に表示させる画像を暗号化して供給するものである。コンテンツサーバ３は、ネットワーク４を介して、パソコン２から要求された画像をパソコン２へ送信する。このとき、パソコン２から受信した公開鍵（暗号鍵）を用いて画像を暗号化する。
【００８１】
さらに、コンテンツサーバ３は、パソコン２から、画像を表示するテレビ１の表示性能に関する情報を含むテレビ１に関する情報（以下、機器情報と称する）の提供を受けてもよい。この場合コンテンツサーバ３は、暗号化処理の前に、テレビ１にて最適な状態で画像が表示されるように、機器情報に基づいて画像処理を実行してもよい。
【００８２】
また、上記画像を有料で供給する場合には、コンテンツサーバ３は、どのテレビ１にどの画像を供給したのかを管理して、テレビ１のユーザに画像の対価を請求する課金処理を実行してもよい。
【００８３】
以上のように、テレビ１は、コンテンツサーバ３と直接通信する機能を有していない場合でも、ＵＳＢメモリ５とパソコン２とを介して、暗号化画像を取得することができる。これにより、ネットワーク４を介した通信機能を持たないテレビ１に対しても、特定のテレビ１においてのみ再生可能な画像を供給することが可能となる。
【００８４】
なお、図２に示す例では、テレビ１が２台示されているが、本発明の画像供給システム１００はこれに限定されず、テレビ１がそれ以上設けられていてもよいし、１台であってもよい。また、ＵＳＢメモリ５を介してパソコン２とデータの受け渡しが可能な装置であれば、どのような情報表示装置であってもよい。
【００８５】
以下、画像供給システム１００を構成する各装置の構成の詳細について説明する。
【００８６】
〔テレビの構成〕
図１は、本発明の実施形態におけるテレビ１の要部構成を示すブロック図である。図１に示すとおり、テレビ１は、少なくとも、制御部１０、記憶部１１、表示部１２および操作部１３を備える構成となっている。
【００８７】
制御部１０は、テレビ１が備える各部を統括制御するものである。制御部１０は、機能ブロックとしての、メモリアクセス部２０、公開鍵提供部２１、暗号化画像取得部２２、画像復号部２３および表示制御部２４を備えている。
【００８８】
記憶部１１は、制御部１０が実行する制御プログラム、ＯＳプログラム、および、制御部１０が、テレビ１が有する各種機能を実行するときに読み出す各種データを記憶するものである。画像表示アプリケーションのプログラムも記憶部１１に記憶されている。また、記憶部１１には、秘密鍵を記憶する秘密鍵記憶部３０、暗号化画像を記憶する画像記憶部３１、公開鍵を記憶する公開鍵記憶部３２および機器情報を記憶する機器情報記憶部３３が含まれている。
【００８９】
表示部１２は、テレビ１が有する映像および／または画像を表示する表示デバイスであり、例えば、ＬＣＤ（液晶ディスプレイ）、ＰＤＰ（プラズマディスプレイパネル）、またはＣＲＴ（cathode-ray tube）ディスプレイなどの表示装置で実現される。
【００９０】
操作部１３は、テレビ１を動作させるための信号をユーザが入力するための入力デバイスである。本実施形態では、操作部１３は、一例として、テレビ１をリモート操作するためのリモートコントローラ（リモコン）などで構成されているものとする。
【００９１】
制御部１０のメモリアクセス部２０は、テレビ１が備える図示しないＵＳＢポートを介して、ＵＳＢメモリ５にアクセスし、情報の読み出し、書き込みを行うものである。具体的には、ＵＳＢメモリ５に暗号化画像が保存されている場合には、メモリアクセス部２０は、暗号化画像取得部２２の指示にしたがって、上記暗号化画像を読み出して、暗号化画像取得部２２に伝達する。あるいは、公開鍵記憶部３２に記憶されている自装置の公開鍵をＵＳＢメモリ５に保存する場合には、公開鍵提供部２１の指示にしたがって、上記公開鍵を、ＵＳＢメモリ５の所定の領域に格納する。
【００９２】
公開鍵提供部２１は、公開鍵記憶部３２に記憶されている自装置の公開鍵をパソコン２に提供すべく出力するものである。
【００９３】
本実施形態では、公開鍵提供部２１は、パソコン２が読み取り可能なＵＳＢメモリ５の所定の領域に、メモリアクセス部２０を介して上記公開鍵を格納することにより、パソコン２に公開鍵を提供している。
【００９４】
上記公開鍵は、上述したとおり、秘密鍵記憶部３０に記憶されている秘密鍵と対になっており、上記秘密鍵が暗号化された画像を復号するための復号鍵であって、上記公開鍵は、画像を暗号化するための暗号鍵である。
【００９５】
暗号化画像取得部２２は、コンテンツサーバ３が供給する暗号化画像をパソコン２を介して取得するものである。
【００９６】
本実施形態では、暗号化画像取得部２２は、メモリアクセス部２０を介してＵＳＢメモリ５にアクセスし、パソコン２がＵＳＢメモリ５に記憶した暗号化画像を取得することにより、コンテンツサーバ３が供給する暗号化画像を取得している。暗号化画像取得部２２は、ＵＳＢメモリ５から取得した暗号化画像を一旦画像記憶部３１に保存してもよい。
【００９７】
画像復号部２３は、画像記憶部３１に記憶された暗号化画像を、秘密鍵記憶部３０に記憶されている秘密鍵を用いて復号するものである。上記暗号化画像を暗号化した鍵が、公開鍵記憶部３２に記憶している公開鍵と一致している場合には、暗号鍵と復号鍵とが対になっているので、画像復号部２３は、復号に成功する。画像復号部２３は、復号が成功した画像を、表示制御部２４に伝達する。
【００９８】
表示制御部２４は、復号された画像を表示部１２が処理可能な映像信号に変換して表示部１２に出力するものである。これにより、復号された画像が表示部１２に表示され、ユーザに視認される。
【００９９】
以上のとおり、公開鍵提供部２１、暗号化画像取得部２２、画像復号部２３および表示制御部２４により、画像表示アプリケーションが実現されている。
【０１００】
なお、ＵＳＢメモリ５は、画像表示アプリケーション専用で用いるものでなく、テレビ１またはパソコン２において汎用的に（他の目的で）利用しているものを共有してもよい。この場合、メモリアクセス部２０が、他の目的で使用されるデータを不必要にあるいは誤って読み出したり、書き込んだりしないようにする必要がある。
【０１０１】
そこで、本実施形態では、画像表示アプリケーションが起動されているときに初めてＵＳＢメモリ５が自装置に挿入されたときには、画像表示アプリケーションにて使用する専用領域を、公開鍵提供部２１が確保する。ＵＳＢメモリ５が初めて挿入される場合としては、パソコン２に画像取得を依頼するために、自装置の公開鍵をＵＳＢメモリ５に記憶する場合が考えられる。
【０１０２】
公開鍵提供部２１は、ＵＳＢメモリ５に公開鍵を保存するとき、ＵＳＢメモリ５が始めて挿入されたものであるときには、メモリアクセス部２０を介して、画像表示アプリケーション領域を確保して、その領域内に上記公開鍵を記憶する。
【０１０３】
さらに、本発明の画像供給システム１００では、１つのＵＳＢメモリ５を複数のテレビ１ａ、テレビ１ｂ・・・にて共有してもよい。この場合、複数のテレビ１の公開鍵や、複数のテレビ１向けの暗号化画像が１つのＵＳＢメモリ５に保存されることになる。したがって、テレビ１が、他のテレビ１向けの暗号化画像を誤って読み出したりしないようにする必要がある。また、パソコン２が、どの公開鍵がどのテレビ１のものであるのかを把握できるようにする必要がある。
【０１０４】
そこで、本実施形態では、確保された画像表示アプリケーション領域内にさらに、各テレビ１専用の領域が確保されるようになっている。具体的には、公開鍵提供部２１は、ＵＳＢメモリ５が初めて自装置（例えば、テレビ１ａ）に挿入された場合に、まず、メモリアクセス部２０を介して、画像表示アプリケーション領域を確保する。そののち、さらに、テレビ１ａ専用のテレビ１ａ専用領域を確保する。そして、公開鍵提供部２１は、上記公開鍵を、確保されたテレビ１ａ専用領域に保存する。
【０１０５】
これにより、他の目的で利用されているＵＳＢメモリ５を他の装置と共有したり、画像表示アプリケーションを実行する複数のテレビ１で、１つのＵＳＢメモリ５を共有したりすることが可能となる。そして、ＵＳＢメモリ５を共有しても、特定のテレビ１向けに暗号化された暗号化画像は、特定のテレビ１でしか表示されない。
【０１０６】
〔パソコンの構成〕
次に、仲介装置としてのパソコン２について説明する。図３は、本発明の実施形態におけるパソコン２の要部構成を示すブロック図である。図３に示すとおり、パソコン２は、少なくとも、制御部４０、記憶部４１、表示部４２、操作部４３および通信部４４を備える構成となっている。
【０１０７】
制御部４０は、パソコン２が備える各部を統括制御するものである。制御部４０は、機能ブロックとしての、メモリアクセス部５０、公開鍵受付部５１、画像要求取得部５２、暗号化画像供給部５３およびインターフェース部５４を備えている。
【０１０８】
記憶部４１は、制御部４０が実行する制御プログラム、ＯＳプログラム、および、制御部４０が、パソコン２が有する各種機能を実行するときに読み出す各種データを記憶するものである。画像表示アプリケーションのプログラムも記憶部４１に記憶されている。なお、パソコン２に搭載される画像表示アプリケーションの機能は、画像を表示する機能ではなく、テレビ１に代行して公開鍵に基づいてコンテンツサーバ３から暗号化画像を取得するための機能である。また、記憶部４１には、テレビ１の公開鍵を記憶する公開鍵記憶部６０、コンテンツサーバ３から送信された暗号化画像を記憶する画像記憶部６１およびテレビ１の機器情報を記憶する機器情報記憶部６２が含まれている。
【０１０９】
表示部４２は、パソコン２が有する映像および／または画像を表示する表示デバイスであり、例えば、ＬＣＤ（液晶ディスプレイ）、ＣＲＴ（cathode-ray tube）ディスプレイなどの表示装置で実現される。
【０１１０】
操作部４３は、パソコン２を動作させるための信号をユーザが入力するための入力デバイスである。本実施形態では、操作部４３は、キーボード、マウス、タッチパッドなどで構成されているものとする。
【０１１１】
通信部４４は、インターネットなどの通信網を介して、コンテンツサーバ３などの各種通信装置と情報の送受信を行うものである。通信部４４は、具体的には、コンテンツサーバ３に対して公開鍵を送信して、テレビ１で表示する画像を要求することができる。そして、上記公開鍵で暗号化された暗号化画像を上記要求の応答として、コンテンツサーバ３から受信することができる。
【０１１２】
制御部１０のメモリアクセス部５０は、パソコン２が備える図示しないＵＳＢポートを介して、ＵＳＢメモリ５にアクセスし、情報の読み出し、書き込みを行うものである。具体的には、ＵＳＢメモリ５に、公開鍵が保存されている場合には、メモリアクセス部５０は、公開鍵受付部５１の指示にしたがって、上記公開鍵を読み出して、公開鍵受付部５１に伝達する。メモリアクセス部５０が読み出した公開鍵は公開鍵記憶部６０に記憶される。あるいは、コンテンツサーバ３から取得した、画像記憶部６１に記憶されている暗号化画像をＵＳＢメモリ５に保存する場合には、暗号化画像供給部５３の指示にしたがって、上記暗号化画像をＵＳＢメモリ５の所定の領域に格納する。
【０１１３】
公開鍵受付部５１は、テレビ１固有の秘密鍵と対になっている、画像暗号化のための公開鍵を取得して、画像取得代行の依頼を受け付けるものである。
【０１１４】
本実施形態では、公開鍵受付部５１は、メモリアクセス部５０がＵＳＢメモリ５の挿入を検知したときに、ＵＳＢメモリ５の所定の領域に公開鍵が格納されていれば、メモリアクセス部５０を介して上記公開鍵を取得する。これにより、テレビ１の画像取得を代行する依頼を受け付ける。
【０１１５】
なお、上述の公開鍵の取得方法は、一例であって、本発明はこれに限定されない。公開鍵は、公開されておりどのような装置からでも容易に入手可能となっているので、公開鍵を入手した（あるいは記憶している）別の装置から、パソコン２に対して提供されても構わない。公開鍵と、それがどのテレビ１の公開鍵であるのかを示す紐付け情報とがパソコン２に提供されればよい。
【０１１６】
公開鍵受付部５１が取得した公開鍵は、テレビ１を識別する情報と関連付けて公開鍵記憶部６０に一旦記憶される。なお、ＵＳＢメモリ５に、機器情報が保存されている場合には、公開鍵受付部５１は、上記公開鍵とともにテレビ１の機器情報を取得してもよい。取得した機器情報は、テレビ１を識別する情報と関連付けて機器情報記憶部６２に記憶される。これにより、パソコン２は、公開鍵と機器情報とをテレビ１ごとに管理することが可能となる。
【０１１７】
画像要求取得部５２は、公開鍵受付部５１によって取得された公開鍵に基づいて、コンテンツサーバ３に対して画像を要求するものである。また、画像要求取得部５２は、要求した画像が暗号化されてコンテンツサーバ３から送信されてきたときに、当該暗号化画像を取得するものである。画像要求取得部５２は、取得した暗号化画像を、テレビ１を識別する情報とともに画像記憶部６１に一旦記憶する。
【０１１８】
なお、機器情報記憶部６２が記憶されている場合は、上記公開鍵とともにテレビ１の機器情報をコンテンツサーバ３に対して送信してもよい。
【０１１９】
暗号化画像供給部５３は、画像要求取得部５２によって取得された暗号化画像をテレビ１に対して供給するものである。
【０１２０】
本実施形態では、暗号化画像供給部５３は、メモリアクセス部５０を介してテレビ１が読み取り可能なＵＳＢメモリ５にアクセスし、ＵＳＢメモリ５の所定領域に暗号化画像を格納する。これにより、コンテンツサーバ３から取得した暗号化画像をテレビ１に供給している。
【０１２１】
上述したとおり、公開鍵を取得したＵＳＢメモリ５には、テレビ１ごとに専用領域が確保されているので、暗号化画像供給部５３は、取得した公開鍵により得られた暗号化画像を、該公開鍵が格納されているのと同じ専用領域に格納することが可能である。
【０１２２】
インターフェース部５４は、画像表示アプリケーションに関して、ユーザが何らかの指示操作を行えるようにするものである。詳細には、インターフェース部５４は、画像表示アプリケーションの操作画面としてＧＵＩ画面を表示部４２に表示して、ユーザ操作を受け付ける。そして、インターフェース部５４は、操作部４３を介して入力された指示信号を受け付けて、それにしたがって、制御部４０各部の動作を制御したり、あるいは、記憶部４１の各種データに処理を施したりする。
【０１２３】
より具体的には、インターフェース部５４は、ＵＳＢメモリ５の画像表示アプリケーション領域に格納されているデータ構造に基づいて、どのテレビ１の公開鍵がＵＳＢメモリ５に保存されているのかを表示部１２に表示する。そして、どの公開鍵をコンテンツサーバ３に送信するのかをユーザに選択させる。インターフェース部５４は、ユーザの選択を受け付けると、その指示信号を画像要求取得部５２に伝達する。これにより、画像要求取得部５２は、ユーザの指示どおりにユーザが所望するテレビ１の画像を要求することができる。
【０１２４】
また、コンテンツサーバ３が複数存在する場合には、インターフェース部５４は、どのコンテンツサーバ３に画像を要求すればよいのかをユーザに選択させるための操作画面を表示部１２に表示してもよい。
【０１２５】
さらに、コンテンツサーバ３から取得できる画像が複数存在する場合には、取得可能な画像のリストを表示部１２に表示して、要求すべき画像をユーザに選択させてもよい。
【０１２６】
以上のとおり、公開鍵受付部５１、画像要求取得部５２、暗号化画像供給部５３およびインターフェース部５４により、仲介装置における画像表示アプリケーションが実現されている。
【０１２７】
なお、機能ブロックとして示した上述のテレビ１およびパソコン２の各部は、ＣＰＵ（central processing unit）がＲＯＭ（read only memory）等の記憶装置に記憶されているプログラムをＲＡＭ（random access memory）等に読み出して実行することで実現できる。
【０１２８】
〔ＵＳＢメモリ内のデータ構造〕
次に、テレビ１とパソコン２との間のデータの受け渡しを仲介するＵＳＢメモリ５内のデータ構造について説明する。図４は、ＵＳＢメモリ５に記憶されているデータのデータ構造の一例を示す図である。図４に示す例は、ＵＳＢメモリ５は、パソコン２において、画像表示アプリケーション以外の目的でも使用されており、また、図２の画像供給システム１００に示すとおり、画像表示アプリケーションの用途においても、テレビ１ａとテレビ１ｂとで共用されている場合のデータ構造の一例である。
【０１２９】
図４に示すとおり、ＵＳＢメモリ５において、画像表示アプリケーションで利用される画像表示アプリケーション領域７０（以下、アプリ領域７０）が確保されている。ＵＳＢメモリ５は、他のアプリケーションでも利用されているので、アプリ領域７０以外の領域には他のデータ群７５が記憶されていてもよい。
【０１３０】
アプリ領域７０では、画像表示アプリケーションを利用する情報表示装置（テレビ１）ごとに、専用領域が確保されている。図４に示す例では、テレビ１ａ用のテレビ１ａ専用領域７１ａと、テレビ１ｂ用のテレビ１ｂ専用領域７１ｂとが確保されている。
【０１３１】
これにより、複数のテレビ１で１つのＵＳＢメモリ５を共有しても、他のテレビ１のデータが、誤って自装置に読み込まれることを防止することができる。
【０１３２】
次に個々の専用領域７１の内容について、テレビ１ａ専用領域７１ａを例に挙げて説明する。テレビ１ｂ専用領域７１ｂのデータ構造は、テレビ１ａ専用領域７１ａと同様であるので説明を省略する。
【０１３３】
テレビ１ａ専用領域７１ａには、公開鍵Ａ７２ａ、機器情報Ａ７３ａ、および、暗号化画像格納領域７４ａが含まれている。公開鍵Ａ７２ａは、テレビ１ａの秘密鍵と対になっている公開鍵を示す。機器情報Ａ７３ａは、テレビ１ａを識別するための情報やテレビ１ａの表示性能に関わる情報など、テレビ１ａに関する情報を含んでいる。機器情報の具体例については後述する。暗号化画像格納領域７４ａは、テレビ１ａでのみ表示されるように公開鍵Ａ７２ａで暗号化された暗号化画像（群）が格納される。
【０１３４】
上記データ構造によれば、テレビ１の公開鍵提供部２１は、テレビ１ａ専用領域７１ａを確保して、公開鍵および機器情報を格納する。これにより、パソコン２の公開鍵受付部５１は、どのテレビの公開鍵が格納されたのかを読み取って公開鍵を取得することが可能となる。さらに、パソコン２の暗号化画像供給部５３は、コンテンツサーバ３から取得した暗号化画像を、テレビごとの専用領域７１に格納する。
【０１３５】
これにより、テレビ１ａの暗号化画像取得部２２は、自装置のテレビ１ａ専用領域７１ａにアクセスして、自装置においてのみ再生可能な暗号化画像を容易に取得することが可能となる。誤って、他のテレビの暗号化画像を取得することがなくなるので、復号を試みた結果、復号に失敗したことにより暗号化画像が自装置のものではなかったと判明する、といった無駄な処理が行われなくなる。また、他のテレビの暗号化画像を読み込むことがなくなるので、暗号化画像の安全性がより高まる。
【０１３６】
〔テレビの処理の流れ〕
図５は、本発明の実施形態におけるテレビ１の処理の流れを示すフローチャートである。図５に示すとおり、画像表示アプリケーションが起動されて、テレビ１のメモリアクセス部２０がＵＳＢメモリ５の挿入を検知すると（Ｓ１０１においてＹＥＳ）、画像表示アプリケーションの各部は、ＵＳＢメモリ５の記憶領域に、画像表示アプリケーションのために確保された領域（図４のアプリ領域７０）があるか否かを確認する（Ｓ１０２）。
【０１３７】
ＵＳＢメモリ５にアプリ領域７０がない場合（Ｓ１０２においてＮＯ）、ＵＳＢメモリ５が、画像表示アプリケーションにおいて初めて利用されるメモリであると判明する。そこで、公開鍵提供部２１は、画像表示アプリケーションにおいて、テレビ１および仲介装置のパソコン２が使用する公開鍵をＵＳＢメモリ５に保存する処理に移行する。
【０１３８】
公開鍵提供部２１は、メモリアクセス部２０を介してＵＳＢメモリ５にアプリ領域７０を確保し（Ｓ１０３）、さらに、自装置の専用領域を確保する（Ｓ１０４）。例えば、テレビ１がテレビ１ａであれば、図４のテレビ１ａ専用領域７１ａが確保される。続いて、公開鍵提供部２１は、公開鍵記憶部３２に記憶されている自装置の公開鍵（公開鍵Ａ７２ａ）を確保した上記専用領域に保存する（Ｓ１０５）。ここで、公開鍵提供部２１は、機器情報記憶部３３に記憶されている自装置の機器情報（機器情報Ａ７３ａ）を上記専用領域に保存してもよい。
【０１３９】
以上の処理を施したＵＳＢメモリ５をパソコン２に読み取らせることにより、パソコン２に、テレビ１に代わってコンテンツサーバ３に対して画像を要求・取得させることが可能となる。
【０１４０】
一方、ＵＳＢメモリ５の記憶領域に、アプリ領域７０が確保されている場合（Ｓ１０２においてＹＥＳ）、ＵＳＢメモリ５が、自装置を含むいずれかのテレビ１によって画像表示アプリケーションですでに利用されているメモリであると判明する。
【０１４１】
そして、画像表示アプリケーションの各部は、アプリ領域７０に自装置の専用領域が確保されているか否かを確認する。具体的には、公開鍵提供部２１は、各専用領域に記憶されている公開鍵を取得する（Ｓ１０６）。そして、上記取得した公開鍵が、自装置の公開鍵と一致するか否かを確認する（Ｓ１０７）。
【０１４２】
上記２つの公開鍵が一致しない場合（Ｓ１０７においてＮＯ）、公開鍵提供部２１は、取得した公開鍵が保存されていた専用領域は、自装置の専用領域でないと判断し、他にチェックしていない専用領域があれば（Ｓ１０８においてＹＥＳ）、各専用領域の公開鍵と自装置の公開鍵とを比較、チェックする。すべての専用領域の公開鍵が、自装置の公開鍵と一致しない場合（Ｓ１０８においてＮＯ）、ＵＳＢメモリ５には、自装置の専用領域がまだ確保されていないと判明する。そこで、公開鍵提供部２１は、Ｓ１０２において検出されたアプリ領域７０内に、自装置の専用領域を確保して（Ｓ１０４）、自装置の公開鍵（および機器情報）を、確保した専用領域に保存する（Ｓ１０５）。
【０１４３】
一方、取得した公開鍵と、自装置の公開鍵とが一致した場合には、暗号化画像取得部２２は、取得した公開鍵が保存されていた専用領域は、自装置の専用領域であると判断し、当該専用領域に暗号化画像が保存されているか否かを確認する（Ｓ１０９）。自装置の専用領域に暗号化画像が保存されていない場合には（Ｓ１０９においてＮＯ）、暗号化画像取得部２２は、表示（復号）すべき暗号化画像がないと判断して処理を終了する。
【０１４４】
自装置の専用領域に暗号化画像が保存されている場合には（Ｓ１０９においてＹＥＳ）、暗号化画像取得部２２は、ＵＳＢメモリ５の上記専用領域から保存されている暗号化画像を取得して、画像記憶部３１に記憶する（Ｓ１１０）。上記暗号化画像は、パソコン２が、コンテンツサーバ３から取得して当該専用領域に保存したものであり、テレビ１の公開鍵を用いて暗号化されたものである。画像復号部２３は、暗号化画像取得部２２が取得した暗号化画像を、秘密鍵記憶部３０に記憶されている自装置の秘密鍵を用いて復号する（Ｓ１１１）。自装置の専用領域に記憶されている暗号化画像は、自装置の公開鍵を用いて暗号化されているので、画像復号部２３は、復号に成功する。表示制御部２４は、画像復号部２３が復号した画像を表示部１２に出力して、画像を表示する（Ｓ１１２）。画像表示アプリケーションの各部は、上記専用領域に未処理の（復号していない）暗号化画像が保存されていれば（Ｓ１１３においてＹＥＳ）、暗号化画像の復号、表示の処理を繰り返す。
【０１４５】
上記の方法によれば、コンテンツサーバ３から供給された画像を、特定のテレビ１だけで表示できるようにすることができる。
【０１４６】
〔パソコンの処理の流れ〕
図６は、本発明の実施形態におけるパソコン２の処理の流れを示すフローチャートである。図６に示すとおり、画像表示アプリケーションが起動されているパソコン２において、パソコン２のメモリアクセス部５０がＵＳＢメモリ５の挿入を検知すると（Ｓ２０１においてＹＥＳ）、画像表示アプリケーションの各部は、ＵＳＢメモリ５の記憶領域に、画像表示アプリケーションのために確保された領域（図４のアプリ領域７０）があるか否かを確認する（Ｓ２０２）。
【０１４７】
ＵＳＢメモリ５にアプリ領域７０がない場合（Ｓ２０２においてＮＯ）、あるいは、画像表示アプリケーション起動時にＵＳＢメモリ５が挿入されていない場合（Ｓ２０１においてＮＯ）、インターフェース部５４は、エラーメッセージを表示部４２に表示する（Ｓ２０３）。表示されるエラーメッセージの内容は、例えば、ユーザにＵＳＢメモリ５の挿入を促すメッセージであってもよいし、ＵＳＢメモリ５に、テレビの公開鍵が保存されていない旨を通知するメッセージであってもよい。
【０１４８】
一方、ＵＳＢメモリ５にアプリ領域７０がある場合には（Ｓ２０２においてＹＥＳ）、公開鍵受付部５１が、アプリ領域７０の各専用領域から公開鍵を取得して公開鍵記憶部６０に記憶する。画像要求取得部５２は、アプリ領域７０に保存されていた、公開鍵記憶部６０の公開鍵の中から、コンテンツサーバ３に送信する公開鍵を選択する（Ｓ２０４）。なお、コンテンツサーバ３が複数存在する場合には、上記公開鍵を送信する（画像を要求する）宛先のコンテンツサーバ３をさらに選択してもよい。公開鍵やコンテンツサーバ３が複数ある場合に、どの公開鍵のどのサーバに送るのかを決定する方法については特に限定されない。例えば、アプリ領域７０に複数のテレビの公開鍵が保存されている場合、インターフェース部５４が、複数の公開鍵のリストを表示部４２に表示して、ユーザの指定を受け付けるようにしてもよい。また、コンテンツサーバ３が複数ある場合には、インターフェース部５４は、選択した公開鍵を送信する宛先をユーザに選択または入力させるＧＵＩ画面を表示部４２に表示してもよい。インターフェース部５４が受け付けたユーザ操作は、画像要求取得部５２に伝達される。
【０１４９】
画像要求取得部５２は、選択された公開鍵を、所定のコンテンツサーバ３に送信することにより、テレビ１に表示させる画像をコンテンツサーバ３に要求する（Ｓ２０５）。続いて、この要求の応答として、画像要求取得部５２は、通信部４４を介して画像リストを取得する（Ｓ２０６）。本実施形態では、画像リストとは、画像を依頼するテレビに対してコンテンツサーバ３が供給可能な画像をリストに示したものである。コンテンツサーバ３は、受け付けた公開鍵に基づいて、供給先のテレビを特定し、そのテレビに供給できる画像の一覧を作成して画像リストをパソコン２に返す。
【０１５０】
画像要求取得部５２は、受信した画像リストの中から、要求する画像を選択する（Ｓ２０７）。例えば、インターフェース部５４が、コンテンツサーバ３から受信した画像リストを表示部４２に表示して、ユーザに所望の画像を選択させてもよい。画像要求取得部５２は、選択した１または複数の画像をコンテンツサーバ３に再度要求する（Ｓ２０８）。要求を受け付けたコンテンツサーバ３では、Ｓ２０５にて受信した公開鍵を用いて、要求された画像の暗号化処理が実行される。
【０１５１】
画像要求取得部５２は、通信部４４を介して、要求した画像が暗号化されたもの（暗号化画像）をコンテンツサーバ３から取得する（Ｓ２０９）。画像要求取得部５２は、取得した暗号化画像を画像記憶部６１に記憶する。ここで、画像要求取得部５２は、コンテンツサーバ３とのセッションを管理しており、どの要求に対してどの応答（暗号化画像）が返ってきたのかを把握することができる。画像要求取得部５２は、公開鍵と、それを送信することにより得られた暗号化画像とを対応付けて画像記憶部６１に記憶する。
【０１５２】
暗号化画像供給部５３は、画像記憶部６１に記憶された暗号化画像を、ＵＳＢメモリ５の所定の専用領域に保存する（Ｓ２１０）。上述したとおり、画像記憶部６１の暗号化画像は公開鍵に対応付けて記憶されている。したがって、暗号化画像供給部５３は、ＵＳＢメモリ５のアプリ領域７０において、一致する公開鍵の専用領域に暗号化画像を保存することができる。
【０１５３】
未取得の画像がある場合には（Ｓ２１１においてＹＥＳ）、Ｓ２０４〜Ｓ２１０の処理が繰り返し実行される。
【０１５４】
上記方法によれば、パソコン２は、各テレビ１（テレビ１ａ、テレビ１ｂ・・・）の代わりに、ネットワーク４を通じて、コンテンツサーバ３から画像を取得することが可能となる。そして、取得した画像を、各々特定のテレビのみが再生できる状態でＵＳＢメモリ５に保存して、各テレビ１に提供することが可能となる。
【０１５５】
〔機器情報について〕
上述の通り、パソコン２は、画像を表示するテレビ１の表示性能に関する情報を含むテレビ１についての機器情報を、テレビ１などから取得して、それを公開鍵とともにコンテンツサーバ３に送信してもよい。
【０１５６】
これにより、コンテンツサーバ３は、受け取った公開鍵を用いて画像を暗号化する前に、依頼元のテレビ１の表示性能に応じて画像処理し、テレビ１において最適な状態に表示される画像を供給することが可能となる。
【０１５７】
本発明の画像供給システム１００においては、コンテンツサーバ３にて一旦暗号化された暗号化画像は、テレビ１にて表示されるまで何者によっても復号され得ない。すなわち、画像処理を行う機会としては、コンテンツサーバ３が保有する画像に対して暗号化処理を施す前の時点か、あるいは、テレビ１が暗号化画像を復号した後の時点が唯一の機会となる。そこで、コンテンツサーバ３に依頼元の機器情報を供給することにより、コンテンツサーバ３が暗号化処理の前に、画像に対して適切な画像処理を施すことができる。
【０１５８】
なお、テレビ１が暗号化画像を復号した後に、自装置の表示性能に合わせて復号した画像の画像処理を行うことは可能であるが、コンテンツサーバ３が暗号化処理の前に画像処理を行う構成では、テレビ１が画像処理する構成と比べて以下のメリットがある。
【０１５９】
コンテンツサーバ３は、テレビ１と比べて大量の画像を高速に処理できるというメリットがある。コンテンツサーバ３は、画像を扱う専門の装置として、テレビ１と比べて高い画像処理性能を有する。テレビ１は製造コストを抑えることが重要視されるために、テレビ１にコンテンツサーバ３並みの画像処理性能を搭載することは通常現実的ではない。したがって、コンテンツサーバ３に画像を処理させる方が、画像供給システム全体のスループットが向上する。
【０１６０】
また、コンテンツサーバ３が画像処理の過程において、画像のファイルサイズが削減できることもあるので、コンテンツサーバ３からパソコン２に対して暗号化画像が供給されるときの通信容量を節約することが可能となる。
【０１６１】
したがって、パソコン２を、コンテンツサーバ３に機器情報を提供する構成とすることが好ましい。パソコン２は、テレビ１の機器情報を、ＵＳＢメモリ５を介してテレビ１から取得してもよいし、他の方法で取得してもよい。
【０１６２】
図７は、機器情報のデータ構造の一例を示す図である。本実施形態では、機器情報は、テレビ１の機器情報記憶部３３に記憶されており、ＵＳＢメモリ５を介して公開鍵とともにパソコン２に提供される。
【０１６３】
図７に示すとおり、機器情報は、テレビ１を識別するためのテレビ識別名と、テレビ１の機種を示す機種名と、テレビ１の表示部１２の表示性能に関する各種情報とを含んでいる。各種情報としては、表示部１２のディスプレイ解像度と、表示部１２にて処理可能な画像容量の最大画像サイズと、テレビ１が表示可能な画像形式とが含まれている。コンテンツサーバ３は、これらの機器情報に基づいて、画像の解像度、データサイズ、画像形式などを変更することができる。
【０１６４】
≪実施形態２≫
上述の実施形態では、パソコン２を仲介装置とし、テレビ１とパソコン２との間でＵＳＢメモリ５を介して、公開鍵と暗号化画像とをやりとりする画像供給システム１００について説明した。しかし、本発明の画像供給システムは上述の例に限定されない。
【０１６５】
例えば、本発明の仲介装置を携帯電話に適用し、テレビと携帯電話との間でやりとりするための外部記録媒体としては、携帯電話において着脱可能なＳＤカードを用いてもよい。
【０１６６】
図８は、本発明の他の実施形態における画像供給システム２００の概要を示す図である。図８に示すとおり、画像供給システム２００は、図２に示す画像供給システム１００と比して、仲介装置としてパソコン２の代わりに携帯電話２’を含んでいる。携帯電話２’は、通信機能を有しており、携帯電話網などを含むネットワーク４を介してコンテンツサーバ３と通信可能である。また、本実施形態では、テレビ１および携帯電話２’は、ＳＤカード５’を着脱可能であり、ＳＤカード５’を介してデータの受け渡しを行うことができる。
【０１６７】
上記構成によれば、携帯電話２’を仲介装置として、コンテンツサーバ３から暗号化画像を取得し、その取得した暗号化画像を、ＳＤカード５’を介してテレビ１に供給することができる。そして画像は、携帯電話２’がテレビ１の公開鍵をコンテンツサーバ３に提供することにより暗号化されているので、その公開鍵と対の秘密鍵を有するテレビ１でしか復号、再生できないようになっている。
【０１６８】
これにより、特定の情報表示装置においてのみ再生できるコンテンツを供給する画像供給システムを実現することができる。さらに、仲介装置としての携帯電話２’は、ユーザが常に携帯しておける装置であるので、ユーザは、都合のよいときにどこででも携帯電話２’を用いてコンテンツサーバ３から画像を取得しておくことができる。なお、携帯電話２’は、公開鍵を、ＳＤカード５’を介してテレビ１から受け付けてもよい。
【０１６９】
本実施形態におけるテレビ１の構成では、メモリアクセス部２０は、ＳＤカード５’に対して、データの読み取り、書き込みを行う。または、携帯電話２’の構成では、メモリアクセス部５０は、ＳＤカード５’に対して、データの読み取り、書き込みを行う。
【０１７０】
図９は、画像供給システム１００または２００における各装置の処理の流れを示す図である。図９に示す例では、テレビ１と仲介装置（パソコン２／携帯電話２’）とは、ＵＳＢメモリ５やＳＤカード５’などのメモリを介してテレビ１の公開鍵の受け渡しを行う。
【０１７１】
まず、テレビ１の公開鍵提供部２１は、メモリが挿入されると、自装置が保有する秘密鍵と対の公開鍵（暗号鍵）をメモリに保存する（Ｓ１）。続いて、公開鍵が保存された上記メモリが仲介装置に挿入されると、仲介装置の公開鍵受付部５１は、上記メモリから公開鍵を取得する（Ｓ２）。画像要求取得部５２は、公開鍵受付部５１が取得した公開鍵をコンテンツサーバ３に、ネットワーク４を介して送信し、画像を要求する（Ｓ３）。
【０１７２】
コンテンツサーバ３は、上記仲介装置から受信した公開鍵を用いて画像を暗号化し（Ｓ４）、その暗号化画像を上記仲介装置に送信する（Ｓ５）。
【０１７３】
上記仲介装置の画像要求取得部５２は、コンテンツサーバ３から上記暗号化画像を受信する（Ｓ６）。暗号化画像供給部５３は、画像要求取得部５２が取得した暗号化画像をメモリに保存する（Ｓ７）。このとき、暗号化画像供給部５３は、メモリの記憶領域のうち、テレビ１のために確保されている専用領域に（上記公開鍵も専用領域に保存されている）、上記暗号化画像を保存する。あるいは、上記公開鍵に関連付けて保存してもよい。
【０１７４】
再び上記メモリがテレビ１に挿入されると、テレビ１の暗号化画像取得部２２は、上記メモリからＳ７にて保存された暗号化画像を取得する（Ｓ８）。画像復号部２３は、暗号化画像取得部２２が取得した暗号化画像を、自装置が保有する秘密鍵（復号鍵）を用いて、復号する（Ｓ９）。表示制御部２４は、復号された画像を表示部１２に表示する（Ｓ１０）。
【０１７５】
上記方法によれば、テレビ１へは、メモリを介して、特定のテレビ１にだけ表示可能な（暗号化された）状態で画像が供給されるので、特定の情報表示装置においてのみ再生できるコンテンツを供給する画像供給システムを実現することができる。テレビ１は、コンテンツサーバ３と直接通信を行わないため、本発明の画像供給システムは、通信網を介して外部の機器と通信する通信機能を搭載しない情報表示装置においても適用可能である。
【０１７６】
本発明の画像供給システムによれば、ネットワークに接続されていないテレビに対しても、ネットワークに接続されているテレビと同じように、特定のテレビでしか再生できないようにして画像を供給するサービスを実現することができるので、このようなケースでは、本発明の構成による効果は特に大きい。
【０１７７】
なお、本発明の画像供給システムにおいて使用される着脱可能な外部記録媒体については、上述のＵＳＢメモリやＳＤカードに限定されない。例えば、ｍｉｎｉＳＤカード、ｍｉｃｒｏＳＤカード、メモリースティック（MEMORY STICK（登録商標））、スマートメディア（Smart Media（登録商標））、コンパクトフラッシュ（登録商標）、マイクロドライブ（MICRODRIVE（登録商標））、ｘＤピクチャーカード（xD-Picture Card（登録商標））などの、フラッシュメモリや小型ハードディスクを内蔵した着脱可能な補助記憶装置を適宜用いることができる。
【０１７８】
≪実施形態３≫
上述の各実施形態では、暗号化画像は、仲介装置から外部記録媒体を介してテレビに供給される構成となっているが、本発明はこの構成に限定されない。例えば、仲介装置とテレビとの間で、近距離無線（または有線）通信が可能であれば、仲介装置がテレビに対して、近距離通信により暗号化画像を供給してもよい。これにより、たとえテレビがネットワーク４を介してコンテンツサーバ３と通信する手段を有していなくとも、特定のテレビにおいてのみ再生され得る画像を供給する画像供給システムを実現することが可能となる。さらに、上述の各実施形態では、公開鍵は、テレビから外部記録媒体を介して仲介装置に提供される構成となっているが、本発明はこの構成に限定されない。公開鍵は、そもそも開かれたネットワーク４を介して容易に入手できるものであるので、テレビとは異なる他の装置がネットワーク４を介して仲介装置に公開鍵を提供する構成であってもよい。
【０１７９】
〔画像供給システムの概要〕
図１０は、本発明のさらに他の実施形態における画像供給システム３００の概要を示す図である。図１０に示すとおり、画像供給システム３００は、１または複数のテレビ１’（テレビ１ａ’、テレビ１ｂ’、・・・）と、仲介装置としての携帯電話２”と、コンテンツサーバ３と、さらに、情報提供装置６とを含んでいる。携帯電話２”、コンテンツサーバ３および情報提供装置６は、通信機能を有しており、ネットワーク４を介してデータの送受信を行うことができる。また、携帯電話２”は、高速赤外線通信プロトコルであるＩｒＳＳ（登録商標）通信（近距離通信）を用いて、赤外線データ、すなわち、暗号化画像を含む暗号化データ（図１０）を、ＩｒＳＳ（登録商標）通信対応の各テレビ１’に送信する。なお、携帯電話２”は、ＩｒＳＳ（登録商標）通信に対応していないテレビ（例えば、テレビ１ｂ’）が含まれている場合には、そのようなテレビに対しては、上述した実施形態と同様、ＳＤカード５’を介して暗号化画像を供給してもよい。このように、仲介装置である携帯電話２”は、供給先の仕様に応じて、暗号化画像を供給する手段を適宜選択することができる。
【０１８０】
テレビ１’は、上述のようにして、外部記録媒体からではなく、仲介装置との近距離通信の手段によって暗号化画像を取得してもよい。
【０１８１】
本実施形態では、各テレビ１’は、携帯電話２”が読み取り可能な２次元コード７を出力することが可能である。２次元コード７には、携帯電話２”が各テレビ１’の公開鍵を入手するために必要な情報が含まれている。一例として、本実施形態では、２次元コード７には、テレビ１’の公開鍵入手先のアクセス情報、例えば、ＵＲＬ(uniform resource locator)の情報が含まれているものとする。携帯電話２”は、公開鍵入手先ＵＲＬを入手することにより、公開鍵を提供する情報提供装置６に、ネットワーク４を介してアクセスすることが可能となる。
【０１８２】
情報提供装置６は、上記ＵＲＬにアクセスしてきた携帯電話２”に対して、要求された公開鍵を提供するものである。図１０に示すとおり、情報提供装置６は、各テレビの公開鍵を記憶するテレビ情報データベース（ＤＢ）を備えており、携帯電話２”から要求されたテレビの公開鍵を、ネットワーク４を介して携帯電話２”に送信する。
【０１８３】
ここで、情報提供装置６は、さらに、テレビごとにそのテレビの機器情報を上記テレビ情報ＤＢに記憶し、公開鍵と併せて携帯電話２”に供給してもよい。情報提供装置６は、例えば、各テレビを一意に識別するテレビ識別名に関連付けて、公開鍵および機器情報を記憶しておく。情報提供装置６は、携帯電話２”から上記テレビ識別名を受け付けて、それに対応する公開鍵と機器情報とを携帯電話２”に提供する。なお、携帯電話２”は、２次元コード７を読み取ったときに、上記ＵＲＬとともに、その２次元コード７を出力したテレビ１’のテレビ識別名を取得する。
【０１８４】
仲介装置は、上述のようにして、テレビ１’からではなく、別の情報提供装置６からテレビ１’の公開鍵を取得してもよい。
【０１８５】
なお、テレビ１’が表示出力する２次元コード７としては、ＱＲコード（登録商標）などを適用することが可能であるが上記に限定されず、携帯電話２”が読み取り可能な状態であればどのような情報であってもよい。１次元バーコードなどであってもよい。あるいは、テレビ１’が表示したＵＲＬをユーザが視認して、ユーザが該ＵＲＬを携帯電話２”に手入力して、情報提供装置６にアクセスしてもよい。
【０１８６】
また、公開鍵の提供方法としては、例えば、テレビ１’の製品出荷時に添付される取り扱い説明書や保証書などに２次元コード７を印字し、それを携帯電話２”に読み取らせる方法を採用してもよい。
【０１８７】
〔テレビの構成〕
図１１は、本発明の実施形態におけるテレビ１’の要部構成を示すブロック図である。なお、図１１の各構成要素に付された符号は、図１の各構成要素に付された符号に対応しており、同じ符号は、同じ構成要素を示している。したがって、上述の各実施形態ですでに説明した構成要素についての説明は繰り返さない。
【０１８８】
図１１に示すとおり、図１のテレビ１に比して図１１のテレビ１’の異なる点は、赤外線通信処理部２５を備えている点である。
【０１８９】
赤外線通信処理部２５は、携帯電話２”から送信された暗号化データを受信するものである。より具体的には、テレビ１’は、携帯電話２”から発せられた赤外線を受光して電気信号に変換する赤外線受光部（図示せず）を含んでいる。赤外線通信処理部２５は、上記赤外線受光部にて得られた電気信号を所定の赤外線通信プロトコル（例えば、ＩｒＳＳ通信）に従ってデジタルデータに変換して、それを暗号化画像取得部２２に伝達する。暗号化画像取得部２２は、上記デジタルデータの中から、携帯電話２”から送信された暗号化画像を取得する。暗号化画像取得部２２が取得した暗号化画像は、画像記憶部３１に格納され、画像復号部２３によって必要に応じて処理される。
【０１９０】
さらに、本実施形態では、公開鍵記憶部３２には、公開鍵を提供する情報提供装置６のＵＲＬが記憶されており、機器情報記憶部３３には、当該テレビ１’を識別するためのテレビ識別名が記憶されている。公開鍵提供部２１は、上記ＵＲＬおよび上記テレビ識別名を２次元コードに変換して、表示制御部２４に伝達する。表示制御部２４は、公開鍵提供部２１が生成した２次元コードを表示部１２に出力する。これにより、携帯電話２”が読み取り可能な状態で、２次元コード７が表示部１２に表示される。
【０１９１】
なお、公開鍵提供部２１は、ユーザが操作部１３を介して入力した指示信号にしたがって、上述の２次元コード７を表示する処理を実行してもよい。あるいは、画像表示アプリケーションが起動されたときに実行してもよい。
【０１９２】
上記構成によれば、テレビ１’の公開鍵提供部２１は、２次元コード７を表示部１２に表示し、それを携帯電話２”に読み取らせることによって、公開鍵を携帯電話２”に提供する。具体的には、携帯電話２”は、読み取った２次元コード７から得られたＵＲＬ情報に基づいてテレビ１’の公開鍵を情報提供装置６から取得することができる。
【０１９３】
続いて、携帯電話２”は、取得した公開鍵をコンテンツサーバ３に送信することによりテレビ１’の暗号化画像を取得する。そして、携帯電話２”は、取得した暗号化画像を含む暗号化データを赤外線信号としてテレビ１’に対して送信する。
【０１９４】
テレビ１’の赤外線通信処理部２５は、上記赤外線信号を受信して、上記暗号化データを暗号化画像取得部２２に伝達する。暗号化画像取得部２２は、上記暗号化データから暗号化画像を取得する。ここで取得される暗号化画像は、コンテンツサーバ３がテレビ１’の公開鍵を用いて暗号化したものである。したがって、画像復号部２３は、上記公開鍵と対になっている秘密鍵を秘密鍵記憶部３０から取り出して、それを用いることにより上記暗号化画像の復号に成功する。また、上記暗号化画像は、上記秘密鍵を保有するこのテレビ１’でしか復号されない暗号化画像である。復号された画像は、表示制御部２４によって表示部１２に表示される。
【０１９５】
これにより、特定のテレビにおいてのみ表示できる画像を供給する画像供給システムを実現することができる。
【０１９６】
なお、図１１に示す例では、テレビ１ａ’およびテレビ１ｂ’は、ＳＤカード５’の経路および赤外線通信の経路の両方を用いて通信可能な構成を有するように記載しているが、テレビ１’の構成はこれに限定されない。赤外線通信処理部２５およびメモリアクセス部２０のいずれか一方を備えている構成も、本発明の情報表示装置に含まれる。
【０１９７】
〔携帯電話の構成〕
図１２は、本発明の実施形態における携帯電話２”の要部構成を示すブロック図である。なお、図１２の各構成要素に付された符号は、図３の各構成要素に付された符号に対応しており、同じ符号は、同じ構成要素を示している。したがって、上述の各実施形態ですでに説明した構成要素についての説明は繰り返さない。
【０１９８】
図１２に示すとおり、図３のパソコン２に比して図１２の携帯電話２”の異なる点は、テレビ１’が、カメラ部４５、ならびに、制御部１０において画像認識部５５および赤外線通信処理部５６を備えている点である。
【０１９９】
カメラ部４５は、ＣＣＤ（Charge Coupled Device）等の撮像素子からなる撮像手段であり、制御部４０からの指示に基づいて被写体を撮像するようになっている。本実施形態では、カメラ部４５は、テレビ１’の表示部１２に表示された２次元コード７を撮像する。カメラ部４５が撮像した画像は、画像認識部５５に伝達される。
【０２００】
画像認識部５５は、カメラ部４５が撮像した画像の認識を行うものである。具体的には、２次元コード７の画像データのパターンマッチングを行い、得られた画像のパターンから、所定のルールにしたがって、２次元コード７の画像をデジタルデータに変換する。画像認識部５５は、生成したデジタルデータを公開鍵受付部５１に伝達する。
【０２０１】
赤外線通信処理部５６は、暗号化画像供給部５３からの指示にしたがって、コンテンツサーバ３から取得した暗号化画像を含む暗号化データを赤外線信号として出力し、テレビ１’に送信するものである。より具体的には、赤外線通信処理部５６は、上記暗号化画像と対応する公開鍵とを暗号化データとして暗号化画像供給部５３から受け取る。そして、該暗号化データを所定の赤外線通信プロトコル（例えば、ＩｒＳＳ通信）に従って電気信号に変換し、図示しない赤外線発光部を介して赤外線として発光する。これにより、ＩｒＳＳ通信対応のテレビ１’が上記赤外線を受光すれば、上記暗号化データを取得することができる。
【０２０２】
さらに、本実施形態では、公開鍵受付部５１は、画像認識部５５を介して取得して得られた２次元コード７のデジタルデータを受け付けると、該デジタルデータから、画像の取得を依頼する依頼元のテレビ１’のテレビ識別名と、テレビ１’の公開鍵を提供している情報提供装置６のＵＲＬとを抽出する。
【０２０３】
そして、公開鍵受付部５１は、通信部４４を介して、上記ＵＲＬに指定されている情報提供装置６にアクセスし、上記テレビ識別名を情報提供装置６に送信してテレビ１’の公開鍵を要求する。この要求の応答として公開鍵が情報提供装置６より携帯電話２”に送信される。公開鍵受付部５１は、通信部４４を介して情報提供装置６より公開鍵を受け付けると、それをテレビ１’の画像取得代行の依頼として受け付けて、公開鍵記憶部６０に一旦記憶する。画像要求取得部５２が、公開鍵受付部５１が取得した公開鍵を用いてテレビ１’に表示する画像をコンテンツサーバ３に対して要求する処理は、上述の各実施形態における仲介装置の動作と同様である。
【０２０４】
なお、情報提供装置６が、公開鍵とテレビの機器情報とをテレビ識別名と関連付けて、合わせて管理している場合には、携帯電話２”の公開鍵受付部５１は、機器情報を情報提供装置６から取得してもよい。公開鍵受付部５１は、情報提供装置６から、上記公開鍵とともにテレビ１’の機器情報を受け付けた場合には、当該機器情報を公開鍵と紐付けて機器情報記憶部６２に格納してもよい。これにより、画像要求取得部５２は、機器情報をコンテンツサーバ３に提供することができる。このように、携帯電話２”が、機器情報を情報提供装置６から取得する構成では、テレビ１’は、自装置の機器情報を携帯電話２”に提供する構成を備えていなくてもよい。
【０２０５】
画像要求取得部５２が、上述の各実施形態と同様の方法で暗号化画像を取得すると、暗号化画像供給部５３は、画像要求取得部５２が取得した暗号化画像をテレビ１’に供給する。図１０に示すとおり、本実施形態では、携帯電話２”は、テレビ１ａ’に対して、ＩｒＳＳ（登録商標）通信を用いて、暗号化画像を供給する。具体的には、暗号化画像供給部５３は、公開鍵と暗号化画像とを含む暗号化データを赤外線通信処理部５６に伝達し、赤外線信号にてテレビ１ａ’に上記暗号化データを送信する。
【０２０６】
なお、暗号化画像供給部５３は、テレビ（例えば、テレビ１ｂ’）が、ＩｒＳＳ（登録商標）通信に対応していない機種の場合には、上述の実施形態で述べた方法を採用して、暗号化画像をテレビ１ｂ’に供給してもよい。すなわち、ＳＤカード５’に上記公開鍵と上記暗号化画像とを保存してもよい。
【０２０７】
暗号化画像供給部５３は、情報提供装置６またはテレビ１’から取得した機器情報に含まれる機種名の情報に基づいて、依頼元のテレビが、ＩｒＳＳ（登録商標）通信に対応しているか否かを判断し、対応している場合には、ＩｒＳＳ（登録商標）通信を介して、対応していない場合には、ＳＤカード５’を介して、テレビ１’に暗号化画像を供給することができる。
【０２０８】
〔テレビの処理の流れ〕
図１３は、本発明の実施形態におけるテレビ１’の処理の流れを示すフローチャートである。画像表示アプリケーションが起動されると、テレビ１’は、操作部１３を介して入力されるユーザの指示信号の待機状態に移行する（Ｓ３０１）。
【０２０９】
ここで、２次元コード７を表示することを指示する指示信号が入力された場合には（Ｓ３０１においてＡ）、公開鍵提供部２１は、公開鍵記憶部３２から情報提供装置６のＵＲＬ情報を取得して、２次元コード７を生成し、表示制御部２４を介して、２次元コード７を表示部１２に表示する（Ｓ３０２）。これにより、携帯電話２”は、２次元コード７を読み取ることが可能となり、情報提供装置６に容易にアクセスすることができる。
【０２１０】
携帯電話２”は、情報提供装置６から取得した、テレビ１’の公開鍵をコンテンツサーバ３に送信する。そして、携帯電話２”は、上記公開鍵で暗号化された暗号化画像をコンテンツサーバ３から受信する。ここでは、携帯電話２”は、上記公開鍵と上記暗号化画像とを含む暗号化データを赤外線信号として、ＩｒＳＳ（登録商標）通信を介してテレビ１’に送信する。
【０２１１】
一方、画像を表示することを指示する指示信号が入力された場合には（Ｓ３０１においてＢ）、テレビ１’は、携帯電話２”から送信される赤外線信号の待機状態に移行する（Ｓ３０３）。
【０２１２】
携帯電話２”から上記暗号化データが赤外線信号としてテレビ１’に送信されて、テレビ１’の赤外線通信処理部２５がそれを受信すると（Ｓ３０３においてＹＥＳ）、暗号化画像取得部２２は、上記暗号化データから上記公開鍵と上記暗号化画像とを取得する（Ｓ３０４）。続いて、暗号化画像取得部２２は、上記取得した公開鍵と、公開鍵記憶部３２に記憶されている自装置の公開鍵とを比較する。
【０２１３】
取得した公開鍵が自装置の公開鍵と一致しない場合には（Ｓ３０５においてＮＯ）、画像表示アプリケーションの図示しないインターフェース部が、画像を表示できない旨のエラーメッセージを表示制御部２４を介して表示してもよい（Ｓ３０６）。また、公開鍵が一致しないということは、暗号化画像取得部２２が取得した上記暗号化画像は自装置宛てのものではないということが判明したので、暗号化画像取得部２２は、取得した公開鍵および暗号化画像を画像記憶部３１に記憶することなく破棄してもよい（Ｓ３０７）。そして、Ｓ３０１にて再びユーザの指示信号の待機状態に移行する。
【０２１４】
一方、暗号化画像取得部２２がＳ３０４にて取得した公開鍵が、自装置の公開鍵と一致する場合には（Ｓ３０５においてＹＥＳ）、画像復号部２３は、秘密鍵記憶部３０に記憶されている秘密鍵を用いて、取得された暗号化画像を復号する（Ｓ３０８）。そして、表示制御部２４は、画像復号部２３によって復号された画像を表示部１２に表示する（Ｓ３０９）。上記暗号化データの中に未処理の暗号化画像が含まれている場合には（Ｓ３１０においてＹＥＳ）、Ｓ３０８およびＳ３０９の処理が繰り返される。こうして、赤外線信号により受信された暗号化画像が、特定のテレビ１’においてのみ表示部１２に表示されるようにできる。
【０２１５】
〔携帯電話の処理の流れ〕
図１４は、本発明の実施形態における携帯電話２”の処理の流れを示すフローチャートである。図１４に示すとおり、画像表示アプリケーションが起動されている携帯電話２”において、カメラ部４５のシャッターが起動されると（Ｓ４０１においてＹＥＳ）、カメラ部４５によって撮像された画像が画像認識部５５に伝送される。ここでは、テレビ１ａ’に表示される２次元コード７が撮像されたものとして説明する。
【０２１６】
画像認識部５５は、伝送された画像の認識処理を実行する。撮像画像が鮮明でない、２次元コードとして認識できない画像であるなどの事情で、画像認識に失敗すれば（Ｓ４０２においてＮＯ）、インターフェース部５４は、認識失敗を示すエラーメッセージを表示部４２に表示してもよい（Ｓ４０３）。
【０２１７】
一方、画像認識部５５が画像認識に成功すれば（Ｓ４０２においてＹＥＳ）、公開鍵受付部５１は、２次元コード７の認識結果のデジタルデータから、テレビ１ａ’のテレビ識別名およびテレビ１ａ’の公開鍵を提供する情報提供装置６のＵＲＬを取得する（Ｓ４０４）。通信部４４は、公開鍵受付部５１の指示にしたがって、上記ＵＲＬにアクセスし、上記テレビ識別名に対応する、テレビ１ａ’の公開鍵および機器情報を情報提供装置６から受信する（Ｓ４０５）。公開鍵受付部５１は、取得した公開鍵および機器情報を、公開鍵記憶部６０および機器情報記憶部６２にそれぞれ記憶する。
【０２１８】
次に、画像要求取得部５２は、要求先のコンテンツサーバ３を選択し（Ｓ４０６）、公開鍵受付部５１が取得した上記公開鍵および機器情報を、コンテンツサーバ３に送信する（Ｓ４０７）。なお、画像要求取得部５２が、コンテンツサーバ３を選択する方法としては、例えば、インターフェース部５４が宛先サーバのリストを表示して、ユーザに選択させ、ユーザが選択したコンテンツサーバ３を要求先のサーバとして選択することが挙げられる。
【０２１９】
画像要求取得部５２は、Ｓ４０７の要求に対する応答として、コンテンツサーバ３から画像リストを取得する（Ｓ４０８）。上記画像リストは、コンテンツサーバ３が作成したものであり、テレビ１ａ’に対して供給可能な画像の一覧を示すものである。インターフェース部５４は、上記画像リストを表示部４２に表示して、テレビ１ａ’に表示させたい画像をユーザに選択させる。
【０２２０】
画像要求取得部５２は、ユーザの選択にしたがって、コンテンツサーバ３に要求すべき画像を選択し（Ｓ４０９）、それらの画像をコンテンツサーバ３に要求する（Ｓ４１０）。コンテンツサーバ３は、要求された画像を、上記Ｓ４０７にて受信したテレビ１ａ’の公開鍵を用いて暗号化し、テレビ１ａ’でのみ表示可能な暗号化画像を生成して、携帯電話２”に返す。
【０２２１】
画像要求取得部５２は、通信部４４を介して、上記暗号化画像を取得して画像記憶部６１に記憶する（Ｓ４１１）。なお、画像要求取得部５２は、セッション管理などを行って、どのテレビの暗号化画像を受信したかを管理しており、上記暗号化画像を公開鍵またはテレビ識別名などと関連付けて画像記憶部６１に記憶する。
【０２２２】
暗号化画像供給部５３は、画像要求取得部５２が取得した暗号化画像を上記公開鍵に関連付けて暗号化データを作成する（Ｓ４１２）。最後に、赤外線通信処理部５６は、作成された上記暗号化データを赤外線信号に変換して、テレビ１ａ’に送信する。
【０２２３】
上記方法によれば、携帯電話２”は、各テレビ１’（テレビ１ａ’、テレビ１ｂ’・・・）の代わりに、ネットワーク４を通じて、コンテンツサーバ３から画像を取得することが可能となる。そして、取得した画像を、各々の特定のテレビ１’のみが再生できる状態で、赤外線通信などの近距離通信にて、または、ＳＤカード５’に保存してテレビ１’に読み取らせることにより、各テレビ１’に提供することが可能となる。
【０２２４】
本実施形態では、２次元コード７が公開鍵を提供する情報提供装置６のＵＲＬの情報を含んでいるものとして説明した。しかし、本発明のテレビ１が提供する２次元コード７は、上記に限定されない。例えば、２次元コード７の中に公開鍵そのものを格納してもよい。この場合、画像表示アプリケーションが利用する形式であることを示すためのヘッダ情報が、公開鍵に関連付けて用意され、テレビ１は、それを２次元コード７として表示部１２に表示することになる。
【０２２５】
なお、本発明の仲介装置がテレビ１とデータをやりとりするために、着脱可能な外部記録媒体を採用する場合には、本発明の仲介装置は、該外部記録媒体に（から）データを書き込み（読み取り）可能なメモリアクセス部を有していれば、どのような場所に設置されていてもよい。あるいは、携帯可能な大きさの装置を仲介装置として用いることも可能である。例えば、本発明の仲介装置は、ユーザの自宅に設置されるデスクトップパソコンでもよいし、持ち運び可能なノートパソコンでもよいし、携帯電話などの携帯端末装置であってもよい。また、公共の場に設置されるパソコンや、店舗に設置されるＰＯＳ（Point of Sale）端末装置を仲介装置として用いることができる。
【０２２６】
例えば、店舗に設置されているＰＯＳ端末装置を仲介装置とする場合には、ユーザのテレビの公開鍵を記憶したＵＳＢメモリを、ユーザが店舗に持ち込んで、上記ＰＯＳ端末装置に読み取らせ、所定の金額が入金されるとＰＯＳ端末装置がコンテンツサーバ３から暗号化画像を取得して、上記ＵＳＢメモリ５に保存する構成も考えられる。これにより、コンテンツサーバ３が管理する課金処理のうち、集金の機能を仲介装置であるＰＯＳ端末装置に移管することができる。
【０２２７】
上述の各実施形態では、画像供給システムにおいて、公開鍵を暗号鍵として、秘密鍵を復号鍵として採用する構成としたが、本発明の画像供給システムは、共通鍵方式を採用してもよい。この場合、仲介装置およびコンテンツサーバ３に対しては、安全な方法を用いて、暗号鍵としての共通鍵が提供される。
【０２２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２２９】
最後に、テレビおよび仲介装置（パソコン、携帯電話）の各ブロック、特に、公開鍵提供部２１、暗号化画像取得部２２、画像復号部２３および表示制御部２４、ならびに、公開鍵受付部５１、画像要求取得部５２、暗号化画像供給部５３、インターフェース部５４および画像認識部５５は、ハードウェアロジックによって構成してもよいし、次のようにＣＰＵを用いてソフトウェアによって実現してもよい。
【０２３０】
すなわち、テレビおよび仲介装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるテレビおよび仲介装置の制御プログラムのプログラムコード（実行形式プログラム、中間コードプログラム、ソースプログラム）をコンピュータで読み取り可能に記録した記録媒体を、上記テレビおよび仲介装置に供給し、そのコンピュータ（またはＣＰＵやＭＰＵ）が記録媒体に記録されているプログラムコードを読み出し実行することによっても、達成可能である。
【０２３１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３２】
また、テレビおよび仲介装置を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２３３】
本発明のコンテンツ供給システムによれば、特定の情報表示装置においてのみ再生可能なコンテンツを供給できるので、機密性の高いコンテンツを供給するシステムや、商業目的でコンテンツを供給するシステムに好適に用いることができる。
【図面の簡単な説明】
【０２３４】
【図１】本発明の実施形態におけるテレビの要部構成を示すブロック図である。
【図２】本発明の実施形態における画像供給システムの概要を示す図である。
【図３】本発明の実施形態におけるパソコンの要部構成を示すブロック図である。
【図４】ＵＳＢメモリに記憶されているデータのデータ構造の一例を示す図である。
【図５】本発明の実施形態におけるテレビの処理の流れを示すフローチャートである。
【図６】本発明の実施形態におけるパソコンの処理の流れを示すフローチャートである。
【図７】機器情報のデータ構造の一例を示す図である。
【図８】本発明の他の実施形態における画像供給システムの概要を示す図である。
【図９】本発明の画像供給システムにおける各装置の処理の流れを示す図である。
【図１０】本発明のさらに他の実施形態における画像供給システムの概要を示す図である。
【図１１】本発明のさらに他の実施形態におけるテレビの要部構成を示すブロック図である。
【図１２】本発明のさらに他の実施形態における携帯電話の要部構成を示すブロック図である。
【図１３】本発明のさらに他の実施形態におけるテレビの処理の流れを示すフローチャートである。
【図１４】本発明のさらに他の実施形態における携帯電話の処理の流れを示すフローチャートである。
【符号の説明】
【０２３５】
１      テレビ（情報表示装置）
１’    テレビ（情報表示装置）
２      パソコン（仲介装置）
２’    携帯電話（仲介装置）
２”    携帯電話（仲介装置）
３      コンテンツサーバ（コンテンツ供給装置）
４      ネットワーク（通信網）
５      ＵＳＢメモリ（外部記録媒体）
５’    ＳＤカード（外部記録媒体）
６      情報提供装置
７      ２次元コード
１０    制御部
１１    記憶部
１２    表示部
１３    操作部
２０    メモリアクセス部
２１    公開鍵提供部（公開鍵提供手段）
２２    暗号化画像取得部（暗号化コンテンツ取得手段）
２３    画像復号部（コンテンツ復号手段）
２４    表示制御部
２５    赤外線通信処理部（赤外線通信処理手段）
３０    秘密鍵記憶部（復号鍵記憶部）
３１    画像記憶部
３２    公開鍵記憶部
３３    機器情報記憶部
４０    制御部
４１    記憶部
４２    表示部
４３    操作部
４４    通信部
４５    カメラ部
５０    メモリアクセス部
５１    公開鍵受付部（公開鍵取得手段）
５２    画像要求取得部（コンテンツ要求取得手段）
５３    暗号化画像供給部（暗号化コンテンツ供給手段）
５４    インターフェース部
５５    画像認識部（アクセス情報取得手段）
５６    赤外線通信処理部（赤外線通信処理手段）
６０    公開鍵記憶部
６１    画像記憶部
６２    機器情報記憶部
１００  画像供給システム（コンテンツ供給システム）
２００  画像供給システム（コンテンツ供給システム）
３００  画像供給システム（コンテンツ供給システム）
【図１】
2010056822.tif 000003
【図２】
2010056822.tif 000004
【図３】
2010056822.tif 000005
【図４】
2010056822.tif 000006
【図５】
2010056822.tif 000007
【図６】
2010056822.tif 000008
【図７】
2010056822.tif 000009
【図８】
2010056822.tif 000010
【図９】
2010056822.tif 000011
【図１０】
2010056822.tif 000012
【図１１】
2010056822.tif 000013
【図１２】
2010056822.tif 000014
【図１３】
2010056822.tif 000015
【図１４】
2010056822.tif 000016